(57)【要約】      （修正有）【課題】油種を間違えて燃料タンクへ給油するトラブルを防止する異種給油防止システムを提供する。【解決手段】給油ノズル２の吐出パイプ２ａの外周面に取り付けられる油種表示板３と、給油口に取り付けられる判定穴を有する油種判定板からなり、油種表示板３は、形状、大きさのうちの少なくとも一つが油種ごとに異なっており、判定穴は所定の油種表示板３とは嵌合し、他の油種表示板３とは嵌合しない形状であることを特徴とする異種給油防止システムである。【選択図】図１
2016113160.tif 000002
【特許請求の範囲】
【請求項１】
給油ノズルの吐出パイプの外周面に取り付けられる油種表示板と、
給油口に取り付けられた油種判定板からなり、
油種表示板は、形状、大きさのうちの少なくとも一つが油種ごとに異なっており、
油種判定板は所定の油種表示板とは嵌合し、他の油種表示板とは嵌合しない形状の判定穴を有することを特徴とする異種給油防止システム。
【請求項２】
油種表示板が多角形であることを特徴とする請求項１に記載の異種給油防止システム。
【請求項３】
油種表示板が星形であることを特徴とする請求項１に記載の異種給油防止システム。
【請求項４】
油種判定板の判定穴に油種表示板の支持部を設けたことを特徴とする請求項１〜３のいずれか１項に記載の異種給油防止システム。
【発明の詳細な説明】
【技術分野】
【０００１】
本発明は、異種給油防止システムに係り、特に、セルフサービス方式の給油装置において油種を間違えて給油するトラブルを防止するための異種給油防止システムに関する。
【背景技術】
【０００２】
近年、セルフサービス方式のガソリンスタンドが増加し、一般顧客が自分で給油する機会が増加している。一般的なセルフサービス方式のガソリンスタンドにはレギュラーガソリン、ハイオクガソリン、軽油の３種類が給油できる自動車用の給油装置が設置され、通常、少し離れたところに灯油の給油装置が設置されており、一般顧客がこれらの中から油種を選択して給油するようになっている。
【０００３】
しかしながら、例えば自動車に詳しくないドライバーが給油する場合など、どの燃料を給油すべきか正確に判断できず、油種を間違えて給油するトラブルが急増している。例えば、ガソリン車に軽油を入れると走行中に白煙を噴いてエンジンが止まる場合があり、またディーゼル（軽油）車にガソリンを入れるとエンジン部の噴射ポンプが破損する。ハイオク車にレギュラーガソリンを入れると、オクタン価不足のためにノッキングが発生すると車が判断し、エンジンは点火時期を遅らせてノッキングを回避しようとするため、パワーダウンや燃費の悪化が起こる。また、例えば、「軽油」を「軽自動車のための燃料」と誤解する初心者も多いため、セルフサービス方式のガソリンスタンドでは軽自動車に誤って軽油を給油する事故も続発している。
【０００４】
このような事故を防ぐため、給油パイプの先端開口部を密閉板で閉止し、該給油パイプの先端周面に抽出孔を穿設した給油ノズル（特許文献１）や、吐出パイプの先端外周に、吐出パイプよりも大径の筒状部材を設けて多重管構造とした給油ノズル（特許文献２）が提案されている。
【先行技術文献】
【特許文献】
【０００５】
【特許文献１】特開昭５０−１０２９１２号公報
【特許文献２】特開２０１１−１３６７３２号公報
【発明の概要】
【発明が解決しようとする課題】
【０００６】
しかしながら、これらの給油ノズルはいずれも構造が極めて複雑であり、特許文献１の給油ノズルでは燃料タンクの給油口の構造も改造する必要があり、異種給油防止の実現は容易ではなく、またコストアップとならざるを得ない。
【０００７】
本発明はかかる実情に鑑み、上記従来技術の問題点を解消し、従来の給油ノズルや燃料タンクの給油口を改造することなく、給油ノズルには油種表示板を取り付け、燃料タンクの給油口には油種判定板を取り付けることにより、容易且つ安価に異種給油のトラブルを防止することができる異種給油防止システムを提供することを目的とする。
【課題を解決するための手段】
【０００８】
上記目的を達成するために、本発明の特徴は、給油ノズルの吐出パイプの外周面に取り付けられる油種表示板と、給油口に取り付けられた油種判定板からなり、油種表示板は、形状、大きさのうちの少なくとも一つが油種ごとに異なっており、油種判定板は所定の油種表示板とは嵌合し、他の油種表示板とは嵌合しない形状の判定穴を有する異種給油防止システムである。
【０００９】
本発明の別の特徴は、油種表示板が多角形である異種給油防止システムである。
【００１０】
本発明の別の特徴は、油種表示板が星形である異種給油防止システムである。
【００１１】
本発明の更に別の特徴は、油種判定板の判定穴に油種表示板の支持部を設けた異種給油防止システムである。
【発明の効果】
【００１２】
本発明による異種給油防止システムによれば、給油ノズルの吐出パイプの外周面に取り付けられる油種表示板と燃料タンクの給油口に取り付けられる油種判定板の判定穴とが嵌合する場合は所定の油種であり、嵌合しない場合は他の油種であると簡単に判定することができる。従って、給油ノズルや燃料タンクの給油口を改造する必要がないので、自動車メーカーやガソリンスタンドに何ら負担を強いることなく、安価且つ容易に異種給油のトラブルを確実に防止することができる。
【図面の簡単な説明】
【００１３】
【図１】図１（ａ）は本発明で用いる給油ノズルの一例を示す概略説明図であり、（ｂ）はそのＡ−Ａ断面図である。
【図２】図２（ａ）は図１の給油口に取り付ける油種判定板の一例を示す正面図であり、（ｂ）はそのＢ−Ｂ断面図である。
【図３】図３は本発明の異種給油防止システムの使用方法を示す概略説明図である。
【図４】図４（ａ）〜（ｃ）は、それぞれ本発明で用いる油種表示板の別例、図４（ａ’）〜（ｃ’）は、油種判定板の別例を示す概略説明図である。
【図５】図５（ａ）、（ｂ）は、それぞれ本発明で用いる油種表示板の更なる別例、図５（ａ’）、（ｂ’）は、それぞれ本発明で用いる油種判定板の更なる別例を示す概略説明図である。
【図６】図６（ａ）〜（ｃ）及び図６（ａ’）〜（ｃ’）は、本発明で用いる油種表示板及び油種判定板の好ましい組み合わせの一例を示す概略説明図である。
【図７】図７（ａ）は、図６（ａ）の油種表示板と図６（ａ’）の判定穴を有する油種判定板を組み合わせた例を示し、図７（ｂ）は、図６（ｂ）の油種表示板と図６（ａ’）の判定穴を有する油種判定板を組み合わせた例を示す概略説明図である。
【発明を実施するための形態】
【００１４】
本発明の異種給油防止システム１は、図１に示されるような、給油ノズル２の吐出パイプ２ａの外周面に取り付けられる油種表示板３と、図２に示されるような、燃料タンク（図示せず）の給油口４（以下、単に給油口４と記す場合がある）に取り付けられる油種判定板５からなり、油種表示板３は、形状、大きさのうちの少なくとも一つが油種ごとに異なっており、油種判定板５は所定の油種表示板３と嵌合し、他の油種表示板３とは嵌合しない形状の判定穴５ａを有することを特徴とする。図中、５ｂは、必要に応じ、設けられる油種表示板支持部、５ｃは吐出パイプ挿通孔である。
【００１５】
本発明の異種給油防止システム１は、油種表示板３と油種判定板５からなり、典型的には図３に示すように、給油ノズル２の吐出パイプ２ａを燃料タンクの給油口４に挿入した際に、所定の給油する油種の場合には油種表示板３が油種判定板５の判定穴５ａ内に嵌合し、他の給油しない油種の場合には嵌合しないように構成されている。
【００１６】
本発明において油種表示板３は、図１（ａ）（ｂ）に示すように、板状の部材であり、識別の必要がある燃料、例えば、レギュラーガソリン、ハイオクガソリン、軽油等の種類ごとに異なる形状をしている。この油種表示板３を給油ノズル２の吐出パイプ２ａの外周面に取り付ける方法は、特に限定されないが、例えば油種表示板３の中央部に吐出パイプ２ａを挿通させる取り付け孔３ａを設け、この取り付け孔３ａに吐出パイプ２ａを挿通して嵌着する方法が例示できる。この場合、油種表示板３を吐出パイプ２ａに一時的に固定することも可能である。
【００１７】
本発明において油種判定板５は、図２（ａ）（ｂ）に示すような、所定形状の判定穴５ａが刻設され、自動車等に備え付けられた給油口４に取り付けられる。油種表示板５の形状は特に限定されず、三角形、四角形等の多角形、円形、楕円形等のいずれでもよいが、多角形は辺の傾き具合を視認しながら判定穴５ａと油種表示板３との嵌合具合を調整できるので好ましい。
油種判定板５を給油口４に取り付ける方法については特に限定されず、従来から一の物品に他の物品を取り付けるために使用されている公知の方法がすべて好適に使用できる。具体的には、油種判定板５を磁石などで形成して、磁力を利用して給油口４に吸着させる方法、接着剤や粘着剤を用いて一時的に張り付ける方法、給油口の内壁に刻設されたねじ山と螺合する形状の取り付け部を油種判定板５の裏面に突設する方法、給油口４の外側に刻設された雄ねじと、これに螺合する雌ねじを油種判定板５の吐出パイプ挿通孔５ｃの内側に刻設して螺合する方法などを例示することができる。また、油種判定板５を手で持って給油中、給油口４に当てがって使用することもできる。
【００１８】
本発明において、油種表示板３の形状は、油種ごとに形状、大きさのうちの少なくとも一つが異なっている限り特に限定されない。また、油種判定板５に設ける判定穴５ａの形状も所定の油種表示板３と嵌合し、他の油種表示板３とは嵌合しない形状であるかぎり特に限定されない。
具体的には、一般的な給油装置においてはレギュラーガソリン、ハイオクガソリン、軽油を給油できるように構成されているが、例えば、レギュラーガソリンを表示するものとして図４（ａ）、ハイオクガソリンを表示するものとして図４（ｂ）、軽油を表示するものとして図４（ｃ）に示した形状の油種表示板３を給油ノズル２に取り付けるとともに、レギュラー車の給油口４（以下同じ）に図４（ａ’）、ハイオク車に図４（ｂ’）、ディーゼル車に図４（ｃ’）の判定穴５ａが設けられた油種判定板５を取り付ければ、誤って異種を給油するトラブルを防ぐことができる。また、図５に記載したような、多角形（図５に示した例では５角形及び６角形）の油種表示板３及び判定穴５ａが設けられた油種判定板５を用いることもできる。
【００１９】
油種表示板３の形状及び油種判定板５の判定穴５ａの形状を多角形又は星形とした場合、油種の判定をもっと複雑に設定することも可能である。例えば、ハイオクガソリンに配合される洗浄成分による効果等を期待して、一時的にレギュラー車にハイオクガソリンを給油することを望むドライバーも存在するので、このような要望に対応できる形状とすることもできる。
このような場合に、油種表示板３の形状及び油種判定板５の判定穴５ａの形状を、図６に示すような星形（中心点から複数の突起が放射状且つ等間隔に突設された形状）にして、図６（ａ）をレギュラーガソリン、図６（ｂ）をハイオクガソリン、図６（ｃ）を軽油をそれぞれ示す油種表示板３とし、図６（ａ’）の判定穴５ａを有する油種判定板５をレギュラー車、図６（ｂ’）の判定穴５ａを有する油種判定板５をハイオク車、図６（ｃ’）の判定穴５ａを有する油種判定板５をディーゼル車に取り付ければ、通常の場合にはレギュラー車にレギュラーガソリン、ハイオク車にハイオクガソリン、ディーゼル車に軽油を間違いなく給油することができる。
【００２０】
さらに、ドライバーが望む場合には、例えば図７（ａ）に示すように、図６（ａ）をハイオクガソリン、図６（ｂ）をレギュラーガソリンの油種表示板３とし、図６（ａ’）の判定穴５ａを有する油種判定板５を用いれば、図７（ａ）の嵌合状態ではハイオクガソリンを給油でき、一方、図７（ｂ）の嵌合状態ではレギュラーガソリンを給油することができる。即ち、油種表示板３が２個、油種判定板５が１個で、ハイオクガソリンとレギュラーガソリンを所望により給油することができる。
【００２１】
油種表示板３と油種判定板との嵌合及び給油を容易とするために、図２（ａ）、（ｂ）、図４（ａ’）、（ｂ’）、（ｃ’）、図５の（ａ’）、（ｂ’）、図６の（ａ’）、（ｂ’）、（ｃ’）に示すように、油種判定板５に油種表示板３を支持するための油種表示板支持部５ｂを設けるのが好ましい。この場合の支持部５ｂは、油種表示板３を油種判定板５の判定穴５ａに嵌合させた際に、判定穴５ａから油種表示板３が抜け落ちないように支持するもので、具体的には、判定穴５ａに吐出パイプ挿通孔５ｃを残して全面的に設けてもよいし、また、角部等に部分的に設けてもよい。
【００２２】
本発明において、油種表示板３の材質は、十分な強度が得られる限り特に限定されず、例えば金属、樹脂等を用いることができるが、軽量で加工性がよい点で、樹脂が好ましい。本発明で使用する樹脂としては特に限定されないが、具体的には、フェノール樹脂、アミノ樹脂、硬質ＰＶＣ樹脂、アクリル樹脂、ポリアセタール樹脂、フッ素樹脂、ポリカーボネート樹脂、ポリアミド（ナイロン）樹脂、ポリエステル樹脂等が挙げられる。また、ポリ乳酸樹脂、ポリブチレンサクシネート、ポリアミド１１、ポリヒドロキシ酪酸等の生分解性プラスチックやバイオマスプラスチック等も使用可能である。
【００２３】
本発明において、判定穴５ａが設けられる油種判定板５の材質は、上記した油種表示板３の材質と概ね同じでよい。なお、磁力を用いて油種判定板５を給油口４に取り付ける場合には、フェライト等の磁性体をそのまま使用してもよく、さらに磁性体を粉末にしてゴム等で固めた、いわゆるボンド磁石を用いてもよい。
【産業上の利用可能性】
【００２４】
叙上のとおり、本発明の異種給油防止システムによれば、給油ノズルに油種表示板を取り付け、燃料タンクの給油口に、判定穴が設けられた油種判定板を取り付けるだけで、確実に異種を給油するトラブルを防ぐことができる。また、本発明の異種吸油防止システムは、給油ノズル及び燃料タンクの給油口は何ら改造する必要がないので、簡単且つ安価に異種給油の防止が図られるので頗る有用である。
【符号の説明】
【００２５】
１  異種給油防止システム
２  給油ノズル
２ａ  吐出パイプ
３  油種表示板
３ａ  取り付け孔
４  給油口
５  油種判定板
５ａ  判定穴
５ｂ  油種表示板支持部
５ｃ  吐出パイプ挿通孔
【図１】
2016113160.tif 000003
【図２】
2016113160.tif 000004
【図３】
2016113160.tif 000005
【図４】
2016113160.tif 000006
【図５】
2016113160.tif 000007
【図６】
2016113160.tif 000008
【図７】
2016113160.tif 000009